(57)【特許請求の範囲】
【請求項１】
無線ＬＡＮ親機に無線ＬＡＮ接続された第１の電子機器と、第２の電子機器とを備え、当該第１の電子機器および第２の電子機器の動作環境を設定するシステムであって、
上記第１の電子機器は、
上記第１の電子機器と上記第２の電子機器との間を無線接続するための設定に必要な第１の動作環境設定情報を記録したコードを読み取るコード読取部と、
上記第２の電子機器が上記無線ＬＡＮ親機と無線ＬＡＮ接続するための動作環境を設定するために必要な第２の動作環境設定情報を記憶した設定情報記憶部と、
上記コード読取部により読み取られたコードを解析し、上記無線接続の設定に必要な上記第１の動作環境設定情報を取得して上記第１の電子機器に設定する動作環境設定部と、
上記動作環境設定部により設定された無線接続を利用して、上記設定情報記憶部に記憶されている上記第２の動作環境設定情報を上記第２の電子機器に送信する設定情報送信部とを備え、
上記第２の電子機器は、
上記動作環境設定部により上記無線接続の設定が行われる際に、上記第１の電子機器から上記無線接続の設定に必要な情報を取得して上記第２の電子機器に設定する第１の動作環境設定部と、
上記設定情報送信部により送信された上記第２の動作環境設定情報を受信する設定情報受信部と、
上記設定情報受信部により受信された上記第２の動作環境設定情報を取得して上記第２の電子機器に設定する第２の動作環境設定部とを備えたことを特徴とする電子機器の動作環境設定システム。
【請求項２】
上記第１の動作環境設定情報は、上記第１の電子機器と上記第２の電子機器との間をブルートゥースで無線接続するための設定に必要な情報であり、
上記設定情報記憶部に記憶されている上記第２の動作環境設定情報は、上記第１の電子機器が上記無線ＬＡＮ親機のプロファイルとして既に登録済みの情報であることを特徴とする請求項１に記載の電子機器の動作環境設定システム。
【請求項３】
上記第１の動作環境設定情報は、上記第１の電子機器と上記第２の電子機器との間をブルートゥースで無線接続するための設定に必要な情報であり、
上記コード読取部は、上記第１の動作環境設定情報に加え、上記第２の電子機器に内蔵されたセンサのキャリブレーションを行うために必要な第３の動作環境設定情報を記録したコードを読み取り、
上記第１の電子機器は、
上記コード読取部により読み取られたコードを解析し、上記第３の動作環境設定情報を取得して上記キャリブレーションを行うための補正情報を算出する補正情報算出部と、
上記動作環境設定部により設定された無線接続を利用して、上記補正情報算出部により算出された上記補正情報を上記第２の電子機器に送信する補正情報送信部とを更に備え、
上記第２の電子機器は、
上記補正情報送信部により送信された上記補正情報を受信する補正情報受信部と、
上記補正情報受信部により受信された上記補正情報を取得して上記センサのキャリブレーションを行うキャリブレーション実行部とを更に備えたことを特徴とする請求項１または２に記載の電子機器の動作環境設定システム。
【請求項４】
無線ＬＡＮ親機に無線ＬＡＮ接続された第１の電子機器と、第２の電子機器とを備えたシステムにおいて、当該第１の電子機器および第２の電子機器の動作環境を設定する方法であって、
上記第１の電子機器におけるコード読取部が、上記第１の電子機器と上記第２の電子機器との間を無線接続するための設定に必要な第１の動作環境設定情報を記録したコードを読み取る第１のステップと、
上記第１の電子機器における動作環境設定部が、上記コード読取部により読み取られたコードを解析し、上記無線接続の設定に必要な上記第１の動作環境設定情報を取得して上記第１の電子機器に設定する第２のステップと、
上記第２の電子機器における第１の動作環境設定部が、上記動作環境設定部により上記無線接続の設定が行われる際に、上記第１の電子機器から上記無線接続の設定に必要な情報を取得して上記第２の電子機器に設定する第３のステップと、
上記第１の電子機器における設定情報送信部が、上記動作環境設定部により設定された無線接続を利用して、上記第２の電子機器が上記無線ＬＡＮ親機と無線ＬＡＮ接続するための動作環境を設定するために必要な第２の動作環境設定情報を記憶した設定情報記憶部から当該第２の動作環境設定情報を読み出して上記第２の電子機器に送信する第４のステップと、
上記第２の電子機器における設定情報受信部が、上記設定情報送信部により送信された上記第２の動作環境設定情報を受信する第５のステップと、
上記第２の電子機器における第２の動作環境設定部が、上記設定情報受信部により受信された上記第２の動作環境設定情報を取得して上記第２の電子機器に設定する第６のステップとを有することを特徴とする電子機器の動作環境設定方法。
【請求項５】
無線ＬＡＮ親機に無線ＬＡＮ接続された第１の電子機器と、第２の電子機器とを備え、当該第１の電子機器および第２の電子機器の動作環境を設定するシステムにおいて、当該第１の電子機器に実装される動作環境設定用プログラムであって、
上記第１の電子機器と上記第２の電子機器との間を無線接続するための設定に必要な第１の動作環境設定情報を記録したコードを読み取るコード読取手段、
上記コード読取手段により読み取られたコードを解析し、上記無線接続の設定に必要な上記第１の動作環境設定情報を取得して上記第１の電子機器に設定する動作環境設定手段、および
上記動作環境設定手段により設定された無線接続を利用して、上記第２の電子機器が上記無線ＬＡＮ親機と無線ＬＡＮ接続するための動作環境を設定するために必要な第２の動作環境設定情報を記憶した設定情報記憶部から当該第２の動作環境設定情報を読み出して上記第２の電子機器に送信する設定情報送信部手段
としてコンピュータを機能させるためのコンピュータ読み取り可能な動作環境設定用プログラム。
【発明の詳細な説明】
【技術分野】
【０００１】
本発明は、電子機器の動作環境設定システム、動作環境設定方法および動作環境設定用プログラムに関し、特に、コードを読み取ることによって電子機器の動作環境を自動的に設定するシステムに用いて好適なものである。
【背景技術】
【０００２】
近年の技術革新に伴い、スマートフォン、パーソナルコンピュータおよびその周辺機器、タブレット端末、ナビゲーション装置、デジタル家電、電子計測機などの様々な電子機器が提供されている。特に最近では、複数の電子機器を無線で接続し、相互にデータ通信を行うことができるようになされたものが広く普及しつつある。【０００３】
電子機器を無線接続する技術として、現在最も広く使われているのは、Ｗｉ−Ｆｉ等の無線ＬＡＮおよびブルートゥース（登録商標。以下同様）である。ケーブル等の有線接続とは異なり、配線の制約を受けずに電子機器を利用することができ、無線の電波が届く範囲であればどこでも電子機器間を接続することができるので、非常に便利である。【０００４】
ただし、電子機器を無線ＬＡＮやブルートゥースで無線接続するためには、当該電子機器に対して事前に様々な設定を行う必要があり、利用者に接続のためのある程度の知識が必要である。例えば、無線ＬＡＮの場合は、アクセスポイントまたは無線ルータ等の親機から送信されるＳＳＩＤ（Service Set Identifier）と、親機内で定義した暗号モードおよびパスワードとを含む接続設定情報を、子機となる電子機器にプロファイルとして登録させることで、接続設定を行う必要がある。【０００５】
一方、ブルートゥースの場合は、相互に通信を行いたい電子機器間でペアリングの設定を行う必要がある。すなわち、ある電子機器のブルートゥース通信機能を起動させると、付近に存在する全てのブルートゥース対応機器から名称やシリアル番号等の情報が送られてきてリストとして表示されるので、ユーザがそのリストの中から接続希望の電子機器を選択することで、選択した電子機器との間でブルートゥースの接続設定を行う。【０００６】
従来、このような無線接続の設定に必要な情報をバーコードまたは二次元コード（以下、両者を特に区別しない場合は単に「コード」という）を用いて提供し、提供されたコードを電子機器が読み取ることで、無線接続の設定を自動的に行うことを可能にした技術が知られている（例えば、特許文献１，２参照）【０００７】
特許文献１には、無線ＬＡＮの設定に必要な情報を二次元コードにより提供し、無線ＬＡＮ通信機能を有する電子機器である無線ＬＡＮ端末が二次元コードを読み取ることにより、当該設定を無線ＬＡＮ端末に反映させることが記載されている。また、特許文献１には、無線接続の設定に関する情報だけでなく、親機の状態を示すステータス情報も二次元コードにより提供することが記載されている。【０００８】
一方、特許文献２には、電子装置を介して外部メッセージ（外部装置のＭＡＣアドレスと機種コードとを符号化したバーコードデータ）を非接触式で読み取り、読み取った外部メッセージから識別した外部装置のＭＡＣアドレスに基づいて、外部装置との間でブルートゥース接続を確立するために必要なデータを外部装置から非接触式で取得することが記載されている。【０００９】
【特許文献１】特開２０１３−１５０１５０号公報
【特許文献２】特開２０１３−９８９８０号公報
【発明の開示】
【００１０】
しかしながら、上記特許文献１に記載の技術では、無線ＬＡＮの接続に必要な情報を設定しようとする電子機器が、コードを読み取るために、カメラまたはコードリーダ等の読取装置を備えている必要がある。そのため、読取装置を備えていない電子機器の場合は、上記特許文献１に記載の技術を適用して無線ＬＡＮの接続設定を自動的に行うことができないという問題があった。
【００１１】
例えば、以下のようなケースを想定する。すなわち、Ｗｉ−Ｆｉによる無線ＬＡＮ通信機能と赤外線通信機能とを備えた中継装置を室内に設置する。そして、外出先からスマートフォン等を使ってデジタル家電の操作信号を送信する。すると、中継装置が、アクセスポイントから無線ＬＡＮにより操作信号を受信し、これを赤外線の操作信号に変換して送信することにより、デジタル家電を操作する。
【００１２】
このようなケースでは、中継装置に無線ＬＡＮ（Ｗｉ−Ｆｉ）の接続設定をあらかじめ行っておく必要がある。しかし、操作信号を中継することに関してコードの読み取りは不要であるため、中継装置は読取装置を備えていないのが普通である。そのため、この中継装置に関しては、上記特許文献１に記載の技術を適用して無線ＬＡＮの接続設定を自動的に行うことができず、従来と同様にユーザが手動で行わなければならない。
【００１３】
なお、ここでは無線ＬＡＮの接続設定に関して従来の問題を説明したが、これに限らない。すなわち、他の動作環境の設定についても同様に、読取装置を備えていない電子機器においてはコードの読み取りによる自動設定を行うことができず、ユーザが手動で行わなければならないという問題がある。例えば、電子計測機では、使用を開始する前に、内部に備えたセンサ類についてキャリブレーションを行う必要がある。しかし、従来は、このキャリブレーションに必要な情報の設定をユーザが手動で行わなければならないという問題があった。
【００１４】
本発明は、このような問題を解決するために成されたものであり、コードを読み取る読取装置を備えていない電子機器に関しても、その動作環境の設定をコードの読み取りによって簡単に行うことができるようにすることを目的とする。
【００１５】
上記した課題を解決するために、本発明では、第１の電子機器において、第１の電子機器と第２の電子機器との間を無線接続するための設定に必要な第１の動作環境設定情報を記録したコードを読み取り、読み取ったたコードを解析することによって、無線接続に必要な情報を第１の電子機器に設定する。本発明では、これに加えて、第２の電子機器の動作環境を設定するために必要な第２の動作環境設定情報を、第１の電子機器が備える設定情報記憶部から読み取り、上記のように設定された無線接続を利用して第２の電子機器に送信することにより、第２の動作環境設定情報を第２の電子機器に設定するようにしている。
【００１６】
上記のように構成した本発明によれば、コードの読取装置を備えた第１の電子機器でコードを読み取れば、そのコードの読み取りによって第１の電子機器と第２の電子機器との間の無線接続の設定が自動的に行われる。さらに、設定された無線接続を利用して、第２の電子機器の動作環境を設定するために必要な情報が第１の電子機器から第２の電子機器に送信され、当該第２の電子機器の動作環境の設定が自動的に行われる。これにより、第２の電子機器がコードの読取装置を備えていなくても、第２の電子機器の動作環境の設定をコードの読み取りによって簡単に行うことができる。
【図面の簡単な説明】
【００１７】
【図１】第１の実施形態による電子機器の動作環境設定システムの概略構成を示す図である。
【図２】第１の実施形態による電子機器の動作環境設定システムの機能構成例を示すブロック図である。
【図３】第１の実施形態によるスマートフォンの動作例を示すフローチャートである。
【図４】第１の実施形態による中継装置の動作例を示すフローチャートである。
【図５】第２の実施形態による電子機器の動作環境設定システムの概略構成を示す図である。
【図６】第２の実施形態による電子機器の動作環境設定システムの機能構成例を示すブロック図である。
【発明を実施するための最良の形態】
【００１８】
（第１の実施形態）
以下、本発明による第１の実施形態を図面に基づいて説明する。図１は、第１の実施形態による電子機器の動作環境設定システムの概略構成を示す図である。【００１９】
図１に示すように、第１の実施形態による電子機器の動作環境設定システム１００は、第１の電子機器１０および第２の電子機器２０を備え、コード３０の読み取りによって第１の電子器１０および第２の電子機器２０の動作環境を自動的に設定できるようにしたものである。第１の実施形態において設定する動作環境は、第１の電子機器１０と第２の電子機器２０との間のブルートゥース接続、および、第２の電子機器２０と無線ルータ２００との間の無線ＬＡＮ接続に関するものである。【００２０】
第１の電子機器１０は、例えばスマートフォンであり、ブルートゥースによる無線通信機能と、Ｗｉ−Ｆｉ等の無線ＬＡＮによる無線通信機能とを有している。また、スマートフォン１０はカメラを備え、コード３０の読み取りを行うことが可能である。【００２１】
第１の実施形態において、スマートフォン１０には、無線ルータ２００を介して無線ＬＡＮにより無線通信をするために必要な情報が既に設定されているものとする。すなわち、無線ＬＡＮの接続に必要な接続設定情報（ＳＳＩＤ、暗号モード、パスワードなど）が、親機である無線ルータ２００のプロファイルとしてスマートフォン１０に登録済みである。この無線ＬＡＮの接続設定は、ユーザが手動で行うことが可能である。あるいは、特許文献１と同様に、スマートフォン１０が備えるカメラを用いたコードの読み取りによって自動的に行うようにしてもよい。【００２２】
第２の電子機器２０は、例えば中継装置であり、ブルートゥースによる無線通信機能と、Ｗｉ−Ｆｉ等の無線ＬＡＮによる無線通信機能とを有している。ただし、中継装置２０はカメラやコードリーダを備えておらず、コード３０の読み取りを行うことができない。中継装置２０は、例えば、無線ルータ２００を介して無線ＬＡＮにより操作信号を受信し、それを赤外線の操作信号に変換して送信することにより、デジタル家電３００を操作することができるようになされている。【００２３】
中継装置２０には、コード３０が貼付または印刷されている。このコード３０は、一例としてはバーコードまたは二次元コードであるが、これに限定されない。すなわち、情報を一定の規則に従い変換したもので、カメラやコードリーダ等の読取装置が読み取りやすいデジタル情報として入出力できるようにしたものであれば、バーコードまたは二次元コード以外の形態のコードでもよい。【００２４】
本実施形態において、コード３０には、スマートフォン１０が中継装置２０との間でブルートゥースによる無線接続するための設定に必要な情報（第１の動作環境設定情報）が記録されている。ここで、第１の動作環境設定情報は、中継装置２０の名称やシリアル番号等を含む情報である。スマートフォン１０がこれらの情報を取得して設定することにより、中継装置２０との間でブルートゥースの接続設定（ペアリング）が行われるようになっている。【００２５】
なお、コード３０には、無線ルータ２００と無線接続するために必要な接続設定情報（無線ルータ２００のプロファイル）は記録されていない。ユーザがどの無線ルータ２００と無線接続するかを事前（コード３０の生成時）に全く想定できないからである。つまり、コード３０には、これが貼付または印刷される中継装置２０自身の情報が記録されているのみである。【００２６】
図２は、第１の実施形態による電子機器の動作環境設定システムの機能構成例を示すブロック図である。なお、図２では、スマートフォン１０および中継装置２０の動作環境を設定することに関する主要な機能構成のみを図示している。【００２７】
図２に示すように、スマートフォン１０は、その機能構成として、設定情報記憶部１１、コード読取部１２、動作環境設定部１３および設定情報送信部１４を備えている。また、中継装置２０は、その機能構成として、第１の動作環境設定部２１、設定情報受信部２２および第２の動作環境設定部２３を備えている。【００２８】
スマートフォン１０の各機能ブロック１２〜１４は、ハードウェア、ＤＳＰ（Digital Signal Processor）、ソフトウェアの何れによっても構成することが可能である。例えばソフトウェアによって構成する場合、上記各機能ブロック１２〜１４は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。【００２９】
同様に、中継装置２０の各機能ブロック２１〜２３は、ハードウェア、ＤＳＰ、ソフトウェアの何れによっても構成することが可能である。例えばソフトウェアによって構成する場合、上記各機能ブロック２１〜２３は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。【００３０】
スマートフォン１０の設定情報記憶部１１は、例えばフラッシュメモリにより構成され、中継装置２０の動作環境を設定するために必要な情報（第２の動作環境設定情報）を記憶する。第１の実施形態において、第２の動作環境設定情報とは、中継装置２０が無線ルータ２００を介してＷｉ−Ｆｉによる無線通信をするために必要な情報である。これは、無線ルータ２００から送信されるＳＳＩＤと、無線ルータ２００内で定義した暗号モードおよびパスワードとを含む接続設定情報であり、上述したようにスマートフォン１０が無線ルータ２００（親機）のプロファイルとして既に登録済みの情報である。【００３１】
スマートフォン１０のコード読取部１２は、スマートフォン１０が備えるカメラ（図示せず）を通じて、中継装置２０に貼付または印刷されたコード３０を読み取るものである。【００３２】
スマートフォン１０の動作環境設定部１３は、コード読取部１２により読み取られたコード３０を解析し、中継装置２０との間でブルートゥースによる無線接続（ペアリング）の設定を行うのに必要な第１の動作環境設定情報（中継装置２０の名称やシリアル番号等を含む情報）を取得して、これをスマートフォン１０に設定する。【００３３】
また、動作環境設定部１３は、中継装置２０がスマートフォン１０との間でブルートゥースによる無線接続（ペアリング）の設定を行うのに必要な情報（スマートフォン１０の名称やシリアル番号等を含む情報）を中継装置２０に送信する。このように、スマートフォン１０と中継装置２０との双方に必要な情報を設定することにより、ブルートゥースのペアリングが行われる。一度ペアリングを行ったスマートフォン１０と中継装置２０は、次からは自動的に接続されるようになる。【００３４】
中継装置２０の第１の動作環境設定部２１は、スマートフォン１０の動作環境設定部１３によりブルートゥースによる無線接続の設定が行われる際に、スマートフォン１０から無線接続の設定に必要な情報（スマートフォン１０の名称やシリアル番号等を含む情報）を取得して、これを中継装置２０に設定する。これにより、スマートフォン１０と中継装置２０との間でブルートゥースによるペアリングが行われる。【００３５】
スマートフォン１０の設定情報送信部１４は、動作環境設定部１３および第１の動作環境設定部２１により設定されたブルートゥースの無線接続を利用して、設定情報記憶部１１に記憶されている第２の動作環境設定情報を中継装置２０に送信する。なお、スマートフォン１０が無線ルータ２００との間でＷｉ−Ｆｉの無線接続を設定する際に、設定情報記憶部１１であるフラッシュメモリの特定の記憶領域に第２の動作環境設定情報（接続設定情報）が記憶されることがあらかじめ決まっている。よって、設定情報送信部１４は、設定情報記憶部１１の特定の記憶領域にアクセスすることにより、第２の動作環境設定情報を取得することが可能である。【００３６】
中継装置２０の設定情報受信部２２は、動作環境設定部１３および第１の動作環境設定部２１により設定されたブルートゥースの無線接続を利用して、設定情報送信部１４により送信された第２の動作環境設定情報を受信する。【００３７】
中継装置２０の第２の動作環境設定部２３は、設定情報受信部２２により受信された第２の動作環境設定情報（中継装置２０が無線ルータ２００を介してＷｉ−Ｆｉによる無線通信をするために必要なＳＳＩＤ、暗号モードおよびパスワード等の情報）を取得して、中継装置２０に設定する。これにより、中継装置２０が無線ルータ２００を介してスマートフォン１０と同一のＷｉ−Ｆｉネットワークに無線接続可能な状態となる。【００３８】
図３は、上記のように構成した第１の実施形態によるスマートフォン１０の動作例を示すフローチャートである。また、図４は、上記のように構成した第１の実施形態による中継装置２０の動作例を示すフローチャートである。図３および図４に示すフローチャートは、例えば、スマートフォン１０および中継装置２０の電源をオンとし、スマートフォン１０のブルートゥース機能を起動させたときに開始する。【００３９】
図３において、スマートフォン１０では、まず、コード読取部１２が、中継装置２０に貼付または印刷されたコード３０を読み取る（ステップＳ１）。次に、動作環境設定部１３は、コード読取部１２により読み取られたコード３０を解析し（ステップＳ２）、スマートフォン１０が中継装置２０との間でブルートゥースによる無線接続の設定を行うのに必要な第１の動作環境設定情報（中継装置２０の名称やシリアル番号等を含む情報）を取得して、これをスマートフォン１０に設定する（ステップＳ３）。【００４０】
また、動作環境設定部１３は、中継装置２０がスマートフォン１０との間でブルートゥースによる無線接続の設定を行うのに必要な情報（スマートフォン１０の名称やシリアル番号等を含む情報）を中継装置２０に送信する（ステップＳ４）。【００４１】
次に、設定情報送信部１４は、設定情報記憶部１１に記憶されている第２の動作環境設定情報（無線ルータ２００のＳＳＩＤ、暗号モードおよびパスワードなど）を読み出す（ステップＳ５）。そして、読み出した第２の動作環境設定情報を、動作環境設定部１３により設定されたブルートゥースの無線接続を利用して中継装置２０に送信する（ステップＳ６）。これにより、図３に示すフローチャートの処理を終了する。【００４２】
図４において、中継装置２０では、まず、第１の動作環境設定部２１が、ブルートゥースの無線接続の設定に必要な情報（ステップＳ４で送信されたスマートフォン１０の名称やシリアル番号等を含む情報）をスマートフォン１０から受信したか否かを判定する（ステップＳ１１）。当該情報を受信していない場合、ステップＳ１１の判定を繰り返す。【００４３】
一方、スマートフォン１０からブルートゥースの無線接続の設定に必要な情報を第１の動作環境設定部２１にて受信した場合、第１の動作環境設定部２１は、受信した情報を中継装置２０に設定することにより、スマートフォン１０と中継装置２０との間でブルートゥースによるペアリングを行う（ステップＳ１２）。【００４４】
次に、設定情報受信部２２は、スマートフォン１０の設定情報送信部１４により送信された第２の動作環境設定情報を受信したか否かを判定する（ステップＳ１３）。ここで、第２の動作環境設定情報を受信していない場合、ステップＳ１３の判定を繰り返す。【００４５】
一方、設定情報受信部２２が第２の動作環境設定情報を受信した場合、第２の動作環境設定部２３は、当該受信した第２の動作環境設定情報を設定情報受信部２２から取得して中継装置２０に設定する（ステップＳ１４）。これにより、図４に示すフローチャートの処理を終了する。【００４６】
以上詳しく説明したように、第１の実施形態によれば、カメラを備えたスマートフォン１０でコード３０を読み取れば、そのコード３０の読み取りによってスマートフォン１０と中継装置２０との間でブルートゥースの無線接続の設定が自動的に行われる。さらに、設定されたブルートゥースの無線接続を利用して、中継装置２０でＷｉ−Ｆｉによる無線ＬＡＮ通信をするための設定に必要な情報がスマートフォン１０から中継装置２０に送信され、当該中継装置２０の無線接続設定が自動的に行われる。これにより、中継装置２０がコード３０の読取装置を備えていなくても、中継装置２０の動作環境の設定（ブルートゥースおよびＷｉ−Ｆｉによる無線接続設定）をコード３０の読み取りによって簡単に行うことができる。【００４７】
（第２の実施形態）
次に、本発明による第２の実施形態を図面に基づいて説明する。図５は、第２の実施形態による電子機器の動作環境設定システムの概略構成を示す図である。【００４８】
図５に示すように、第２の実施形態による電子機器の動作環境設定システム１００’は、第１の電子機器１０’および第２の電子機器２０’を備え、コード３０’の読み取りによって第１の電子機器１０’および第２の電子機器２０’の動作環境を自動的に設定できるようにしたものである。第２の実施形態において設定する動作環境は、第１の電子機器１０’と第２の電子機器２０’との間のブルートゥース接続、第２の電子機器２０’と無線ルータ２００との間の無線ＬＡＮ接続、および、第２の電子機器２０’が内蔵するセンサ２６のキャリブレーションに関するものである。【００４９】
第１の電子機器１０’は、例えばスマートフォンであり、ブルートゥースによる無線通信機能と、Ｗｉ−Ｆｉ等の無線ＬＡＮによる無線通信機能とを有している。また、スマートフォン１０’はカメラを備え、コード３０’の読み取りを行うことが可能である。第２の実施形態においても、スマートフォン１０’には、無線ルータ２００を介して無線通信をするために必要な第２の動作環境設定情報が既に設定されているものとする。【００５０】
第２の電子機器２０’は、例えば中継装置であり、ブルートゥースによる無線通信機能と、Ｗｉ−Ｆｉ等の無線ＬＡＮによる無線通信機能とを有している。ただし、中継装置２０’はカメラやコードリーダを備えておらず、コード３０’の読み取りを行うことができない。第２の実施形態において、中継装置２０’は、内部にセンサを備えた計測機器としての機能も有している。センサは、例えば温度センサ、湿度センサ、ＰＭ２．５センサ、放射線センサなど、その種類は問わない。【００５１】
中継装置２０’に貼付または印刷されているコード３０’には、スマートフォン１０’が中継装置２０’との間でブルートゥースによる無線接続するための設定に必要な第１の動作環境設定情報に加え、中継装置２０’に内蔵されたセンサのキャリブレーションを行うために必要な第３の動作環境設定情報が記録されている。【００５２】
図６は、第２の実施形態による電子機器の動作環境設定システムの機能構成例を示すブロック図である。なお、この図６において、図２に示した符号と同一の符号を付したものは同一の機能を有するものであるので、ここでは重複する説明を省略する。【００５３】
第２の実施形態では、スマートフォン１０’は、図６に示すように、その機能構成として、補正情報算出部１５および補正情報送信部１６を更に備えている。また、中継装置２０’は、その機能構成として補正情報受信部２４およびキャリブレーション実行部２５を更に備えるとともに、ハードウェアとしてのセンサ２６を更に備えている。【００５４】
スマートフォン１０’の補正情報算出部１５は、コード読取部１２により読み取られたコード３０’を解析し、第３の動作環境設定情報を取得して、キャリブレーションを行うための補正情報を算出する。例えば、補正情報を算出するための計算式をあらかじめ用意しておいて、コード３０’を解析することによって取得した第３の動作環境設定情報をパラメータとして計算式に代入することにより、センサ２６のキャリブレーションを行うための補正情報を算出する。【００５５】
なお、ここではスマートフォン１０’において、コード３０’を解析して取得した第３の動作環境設定情報から補正情報を算出する例について説明したが、この例に限定されない。例えば、第３の動作環境設定情報そのものを、キャリブレーションを行うための補正情報としてコード化するようにしてもよい。【００５６】
スマートフォン１０’の補正情報送信部１６は、スマートフォン１０’の動作環境設定部１３および中継装置２０’の第１の動作環境設定部２１により設定されたブルートゥースの無線接続を利用して、補正情報算出部１５により算出された補正情報を中継装置２０’に送信する。【００５７】
中継装置２０’の補正情報受信部２４は、スマートフォン１０’の補正情報送信部１６により送信された補正情報を受信する。キャリブレーション実行部２５は、補正情報受信部２４により受信された補正情報を取得して、センサ２６のキャリブレーションを行う。【００５８】
上記のように構成した第２の実施形態によれば、カメラを備えたスマートフォン１０’でコード３０’を読み取れば、そのコード３０’の読み取りによってスマートフォン１０’と中継装置２０’との間でブルートゥースの無線接続の設定が自動的に行われる。さらに、設定されたブルートゥースの無線接続を利用して、中継装置２０’でＷｉ−Ｆｉによる無線ＬＡＮ通信をするための設定に必要な情報と、中継装置２０’のセンサ２６をキャリブレーションするのに必要な情報とがスマートフォン１０’から中継装置２０’に送信され、当該中継装置２０’の無線接続設定およびセンサ２６のキャリブレーションが自動的に行われる。これにより、中継装置２０’がコード３０’の読取装置を備えていなくても、中継装置２０’の動作環境の設定（ブルートゥースおよびＷｉ−Ｆｉによる無線接続設定とセンサ２６のキャリブレーション）をコード３０’の読み取りによって簡単に行うことができる。【００５９】
なお、上記第１および第２の実施形態では、第１の電子機器の一例としてスマートフォンを挙げて説明したが、これに限定されない。第１の電子機器は、ブルートゥースによる無線通信機能と、Ｗｉ−Ｆｉによる無線ＬＡＮ通信機能と、コードの読取機能とを有しているものであれば、スマートフォン以外の電子機器であってもよい。【００６０】
また、上記第１および第２の実施形態では、第２の電子機器の一例として中継装置を挙げて説明したが、これに限定されない。第２の電子機器は、ブルートゥースによる無線通信機能と、Ｗｉ−Ｆｉによる無線ＬＡＮ通信機能とを有しているものであれば、中継装置以外の電子機器であってもよい。例えば、第２の電子機器は、眼鏡型、腕時計型、リストバンド型などのウェアラブル機器であってもよい。【００６１】
また、上記第１および第２の実施形態では、スマートフォン１０，１０’と中継装置２０，２０’との間をブルートゥースにより接続する例について説明したが、ブルートゥース以外の無線通信技術（例えば、ZigBeeなど）を適用してもよい。【００６２】
また、上記第１および第２の実施形態では、スマートフォン１０，１０’から中継装置２０，２０’に送信する動作環境の設定情報として、Ｗｉ−Ｆｉによる無線接続設定情報およびセンサのキャリブレーションに使用する補正情報を例示したが、本発明はこれに限定されない。これ以外の動作環境を設定するための情報であってもよい。【００６３】
その他、上記第１および第２の実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００６４】
１０，１０’  スマートフォン（第１の電子機器）
１１  設定情報記憶部
１２  コード読取部
１３  動作環境設定部
１４  設定情報送信部
１５  補正情報算出部
１６  補正情報送信部
２０，２０’  中継装置（第２の電子機器）
２１  第１の動作環境設定部
２２  設定情報受信部
２３  第２の動作環境設定部
２４  補正情報受信部
２５  キャリブレーション実行部
２６  センサ
３０，３０’  コード
１００，１００’  電子機器の動作環境設定システム
【要約】
スマートフォン１０においてコードを読み取るコード読取部１２と、読み取られたコードを解析することにより、中継装置２０との間をブルートゥース接続するための設定に必要な第１の動作環境設定情報を取得してスマートフォン１０に設定する動作環境設定部１３と、Ｗｉ−Ｆｉで無線接続するための設定に必要な第２の動作環境設定情報を設定情報記憶部１１から読み出して中継装置２０に送信する設定情報送信部１４と、受信した第２の動作環境設定情報を中継装置２０に設定する第２の動作環境設定部２３とを備え、中継装置２０がコードの読取装置を備えていなくても、スマートフォン１０においてコードを読み取れば、そのコードの読み取りによってブルートゥースの接続設定を自動的に行い、さらに、中継装置２０に対するＷｉ−Ｆｉの無線接続設定も自動的に行うことができるようにする。【図１】
0005952978.tif 000002
【図２】
0005952978.tif 000003
【図３】
0005952978.tif 000004
【図４】
0005952978.tif 000005
【図５】
0005952978.tif 000006
【図６】
0005952978.tif 000007